(57)【要約】【課題】操作が便利な、電子装置の制御によるウインドウ画面のスクロール方法及び装置を提供することを課題とする。【解決手段】電子装置は、少なくとも一つのモニタ、少なくとも一つのタッチコントロール装置２、及び処理ユニット３によって構成する。タッチコントロール装置２上に設けられた複数の実体のキーを模擬したキーゾーン２１，２２，２３によって、使用者が指をタッチコントロール装置上で動かすのではなく、前記キーゾーンを触れる方式によって、ウインドウ画面４のスクロール、あるいは停止を制御する。【選択図】図１
2005190126.tif 000002
【特許請求の範囲】
【請求項１】
電子装置の制御によるウインドウ画面のスクロール方法であり、前記電子装置は少なくとも一つのタッチコントロール装置を具有し、前記方法の工程は、（A）前記タッチコントロール装置上にはN個のキーゾーンが設けられており、Nは少なくとも１を含む整数であることと、（B）N個のキーゾーンをチェックし、その中の第J番キーゾーンが押されたと感知された時、前記ウインドウ画面を制御し、第J番の方向へスクロールさせることを含む
ことを特徴とする電子装置の制御によるウインドウ画面のスクロール方法。
【請求項２】
工程（A）中において、Ｊは、１とNとの間に介在する任意の整数を表し、第Ｊ番方向は、上方向、下方向、左方向、右方向、あるいはその他の任意の方向の中の一つを表すことを特徴とする請求項１に記載の電子装置の制御によるウインドウ画面のスクロール方法。
【請求項３】
工程（A）中において、N＝２であり、前記タッチコントロール装置上には第一キーゾーン、および第二キーゾーンが設けられており、工程（B）中において、第一キーゾーンが押されたと感知された時、ウインドウ画面を制御し、第一方向へスクロールさせ、前記第二キーゾーンが押されたと感知された時、ウインドウ画面を制御し、前記第一方向とは違う方向である第二方向へスクロールさせることを特徴とする請求項２に記載の電子装置の制御によるウインドウ画面のスクロール方法。
【請求項４】
前記第一方向と前記第二方向はお互いに相対する方向であることを特徴する請求項３に記載の電子装置の制御によるウインドウ画面のスクロール方法。
【請求項５】
前記第一方向と前記第二方向は、それぞれ上方向と下方向への移動の垂直方向であることを特徴とする請求項４に記載の電子装置の制御によるウインドウ画面のスクロール方法。
【請求項６】
前記第一方向と前記第二方向は、それぞれ左方向と右方向への移動の水平方向であることを特徴とする請求項４に記載の電子装置の制御によるウインドウ画面のスクロール方法。
【請求項７】
前記ウインドウ画面の片側には更にスクロールバーが設けられており、工程（B）中において、前記第一キーゾーンが押された時、前記スクロールバーを前記第一方向へ移動させ、前記第二キーゾーンが押された時、前記スクロールバーを第二方向へ移動させることを特徴とする請求項３に記載の電子装置の制御によるウインドウ画面のスクロール方法。
【請求項８】
工程（A）において、前記第一キーゾーン、および第二キーゾーンにはそれぞれ、更に若干の速度ゾーンを設けることができ、前記速度ゾーンにはそれぞれ異なるスクロール速度を与えることができ、工程（B）中において、ある速度ゾーンが押された時、前記ウインドウ画面を制御し、前記速度ゾーンのスクロール速度によってキーゾーンの所属するスクロール方向へスクロールさせることを特徴とする請求項３に記載の電子装置の制御によるウインドウ画面のスクロール方法。
【請求項９】
工程（A）中において、タッチコントロール装置の中心からの距離が近い速度ゾーンほど、スクロール速度は遅く、タッチコントロール装置の中心からの距離が遠い速度ゾーンほど、スクロール速度は速いことを特徴とする請求項８に記載の電子装置の制御によるウインドウ画面のスクロール方法。
【請求項１０】
工程（A）中において、タッチコントロール装置の中心からの距離が近い速度ゾーンほど、スクロール速度は速く、タッチコントロール装置の中心からの距離が遠い速度ゾーンほど、スクロール速度は遅いことを特徴とする請求項８に記載の電子装置の制御によるウインドウ画面のスクロール方法。
【請求項１１】
工程（A）中において、前記速度ゾーンにそれぞれ与えられたスクロール速度は、固定速度、あるいは非固定速度であることを特徴とする請求項８に記載の電子装置の制御によるウインドウ画面のスクロール方法。
【請求項１２】
工程（A）中において、前記第一キーゾーンには更に第一常速ゾーン、および第一快速ゾーンを、前記第二キーゾーンには更に第二常速ゾーン、および第二快速ゾーンを設けることができ、第一、あるいは第二常速ゾーンが押された時、ウインドウ画面を制御し、正常な速度で前記常速ゾーンの所属するキーゾーンのスクロール方向にスクロールさせ、前記第一、あるいは第二快速ゾーンが押された時、ウインドウ画面は前記正常な速度よりも比較的速い速度で前記快速ゾーンの所属するキーゾーンのスクロール方向にスクロールさせることを特徴とする請求項３に記載の電子装置の制御によるウインドウ画面のスクロール方法。
【請求項１３】
工程（B）中において、前記第一キーゾーン、あるいは第二キーゾーン中で、一よりも大きな押圧動作が発生したと感知された時、前記押圧の回数と押圧時間の長さに対応してウインドウ画面のスクロール速度が調整されることを特徴とする請求項３に記載の電子装置の制御によるウインドウ画面のスクロール方法。
【請求項１４】
工程（B）中において、前記押圧動作は、少なくとも一つの短いクリック動作を感知した後、すぐに別の短いクリック動作、あるいは別の比較的時間の長い押圧動作を感知することを特徴とする請求項１３に記載の電子装置の制御によるウインドウ画面のスクロール方法。
【請求項１５】
工程（B）中において、前記押圧回数と押圧時間に対応してウインドウ画面のスクロール速度が素早く調整されることを特徴とする請求項１３に記載の電子装置の制御によるウインドウ画面のスクロール方法。
【請求項１６】
工程（B）中において、前記押圧回数と押圧時間に対応してウインドウ画面のスクロール速度が遅く調整されることを特徴とする請求項１３に記載の電子装置の制御によるウインドウ画面のスクロール方法。
【請求項１７】
工程（B）中において、前記押圧回数と押圧時間によってウインドウ画面のスクロールが停止されることを特徴とする請求項１３に記載の電子装置の制御によるウインドウ画面のスクロール方法。
【請求項１８】
工程（B）中において、前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は遅く、中心から遠いほど、スクロール速度は速いことを特徴とする請求項３に記載の電子装置の制御によるウインドウ画面のスクロール方法。
【請求項１９】
工程（B）中において、前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は速く、中心から遠いほど、スクロール速度は遅いことを特徴とする請求項３に記載の電子装置の制御によるウインドウ画面のスクロール方法。
【請求項２０】
工程（B）中において、前記第一キーゾーン、あるいは第二キーゾーンが押圧された時、前記ウインドウ画面を継続してスクロールさせることを特徴とする請求項３に記載の電子装置の制御によるウインドウ画面のスクロール方法。
【請求項２１】
前記ウインドウ画面は継続してスクロールし、前記同一のキーゾーンが再び押圧された時、停止することを特徴とする請求項２０に記載の電子装置の制御によるウインドウ画面のスクロール方法。
【請求項２２】
前記ウインドウ画面は継続してスクロールし、別のキーゾーンが押圧された時、スクロールが停止することを特徴とする請求項２０に記載の電子装置の制御によるウインドウ画面のスクロール方法。
【請求項２３】
前記ウインドウ画面は継続してスクロールし、前記キーゾーン以外のゾーン域が押圧された時、スクロールが停止することを特徴とする請求項２０に記載の電子装置の制御によるウインドウ画面のスクロール方法。
【請求項２４】
工程（A）中において、前記タッチコントロール装置上には更に少なくとも一つの特殊キーゾーンが設けられており、前記特殊キーゾーンが押圧されたと感知された時、改めてスクロールバーの設定状態を設定することができることを特徴とする請求項３に記載の電子装置の制御によるウインドウ画面のスクロール方法。
【請求項２５】
工程（B）中において、複数のキーゾーンが同時に押圧されたと感知された時、改めてスクロールバーの設定状態を設定することができることを特徴とする請求項３に記載の電子装置の制御によるウインドウ画面のスクロール方法。
【請求項２６】
改めて前記スクロールバーの設定状態を設定するとは、スクロールを起点の位置、中間の位置、終点の位置、その他システムによって予め設定されている位置、あるいは使用者に設定された位置に回復させることを指すことを特徴とする請求項２４、または２５に記載の電子装置の制御によるウインドウ画面のスクロール方法。
【請求項２７】
改めて前記スクロールバーの設定状態を設定するとは、スクロール速度を予め設定した状態に回復させることを指すことを特徴とする請求項２４、または２５に記載の電子装置の制御によるウインドウ画面のスクロール方法。
【請求項２８】
改めて前記スクロールバーの設定状態を設定するとは、前記第一キーゾーンおよび前記第二キーゾーン、または、前記第一キーゾーンあるいは前記第二キーゾーンのスクロール機能を開く、あるいは閉じることを指すことを特徴とする請求項２４、または２５に記載の電子装置の制御によるウインドウ画面のスクロール方法。
【請求項２９】
改めて前記スクロールバーの設定状態を設定するとは、前記第一キーゾーンおよび前記第二キーゾーン、または、前記第一キーゾーンあるいは前記第二キーゾーンのスクロール方向を変更することを指すことを特徴とする請求項２４、または２５に記載の電子装置の制御によるウインドウ画面のスクロール方法。
【請求項３０】
改めて前記スクロールバーの設定状態を設定するとは、前記ウインドウ画面のスクロールを停止させることであることを特徴とする請求項２４、または２５に記載の電子装置の制御によるウインドウ画面のスクロール方法。
【請求項３１】
改めて前記スクロールバーの設定状態を設定するとは、前記ウインドウズ画面を前回のスクロール動作に重複させることを指し、前記重複する動作は、スクロールの方向、速度、およびスクロールの距離、または、あるいはスクロールの距離であることを特徴とする請求項２４、または２５に記載の電子装置の制御によるウインドウ画面のスクロール方法。
【請求項３２】
改めて前記スクロールバーの設定状態を設定するとは、前記ウインドウ画面を前回のスクロールの方向と速度に沿って継続してスクロールさせることを特徴とする請求項２４、または２５に記載の電子装置の制御によるウインドウ画面のスクロール方法。
【請求項３３】
改めて前記スクロールバーの設定状態を設定するとは、前記ウインドウ画面を上方向に改ページさせたり、下方向に改ページさせたり、上方向にスクロールさせたり、下方向にスクロールさせたりすることを特徴とする請求項２４、または２５に記載の電子装置の制御によるウインドウ画面のスクロール方法。
【請求項３４】
改めて前記スクロールバーの設定状態を設定するとは、クリック動作、あるいはダブルクリック動作の電子信号を発生させることを指すことを特徴とする請求項２４、または２５に記載の電子装置の制御によるウインドウ画面のスクロール方法。
【請求項３５】
改めて前記スクロールバーの設定状態を設定するとは、前回のマウスポインタによるドラッグ動作の重複を発生させることを指すことを特徴とする請求項２４、または２５に記載の電子装置の制御によるウインドウ画面のスクロール方法。
【請求項３６】
改めて前記スクロールバーの設定状態を設定するとは、前回のクリック、ならびにドラッグと重複する電子信号を発生させることを指すことを特徴とする請求項２４、または２５に記載の電子装置の制御によるウインドウ画面のスクロール方法。
【請求項３７】
工程（A）中において、N＝４であり、前記タッチコントロール装置上には垂直上方向のスクロールゾーン、垂直下方向のスクロールゾーン、水平左方向のスクロールゾーン、および水平右方向のスクロールゾーンが設けられており、工程（Ｂ）中において、前記垂直上方向、あるいは垂直下方向のスクロールゾーンが押圧されたと感知された時、ウインドウ画面を制御し、垂直上方向、あるいは下方向にスクロールさせ、水平左方向、あるいは右方向のスクロールゾーンが押圧されたと感知された時、ウインドウ画面を制御し、水平左方向、あるいは右方向にスクロールさせることを特徴とする請求項３５に記載の電子装置の制御によるウインドウ画面のスクロール方法。
【請求項３８】
少なくとも一つのディスプレイと、少なくとも一つのタッチコントロール装置と、処理ユニットとによって構成されており、
前記ディスプレイは、少なくとも一つのウインドウ画面を表示するために用いられており、
前記タッチコントロール装置上には、N個のキーゾーンが設けられており、Nは少なくとも一の整数であり、前記N個のキーゾーンに対してチェックを行うことができ、
前記処理ユニットは、前記ディスプレイ、および前記タッチコントロール装置と電気接続されており、前記N個のキーゾーンの中の前記第Ｊ番キーゾーンが押圧されたことが分かった時、ウインドウ画面を制御し、第Ｊ番方向へスクロールさせることを特徴とする電子装置。
【請求項３９】
Ｊは、一とNとの間に介在する任意の整数を表し、第Ｊ番方向は、上方向、下方向、左方向、右方向、あるいはその他の任意の方向の中の一つを表すことを特徴とする請求項３８に記載の電子装置。
【請求項４０】
N＝２であり、前記タッチコントロール装置上には第一キーゾーン、および第二キーゾーンが設けられており、前記処理ユニットは第一キーゾーンが押されたとわかった時、ウインドウ画面を制御し、第一方向へスクロールさせ、前記処理ユニットが前記第二キーゾーンが押されたと感知した時、ウインドウ画面を制御し、前記第一方向とは違う方向である第二方向へスクロールさせることを特徴とする請求項３９に記載の電子装置。
【請求項４１】
前記第一方向と前記第二方向はお互いに相対する方向であることを特徴する請求項４０に記載の電子装置。
【請求項４２】
前記第一方向と前記第二方向は、それぞれ上方向と下方向への移動の垂直方向であることを特徴とする請求項４１に記載の電子装置。
【請求項４３】
前記第一方向と前記第二方向は、それぞれ左方向と右方向への移動の水平方向であることを特徴とする請求項４１に記載の電子装置。
【請求項４４】
前記ウインドウ画面の片側には更にスクロールバーが設けられており、前記第一キーゾーンが押された時、前記処理ユニットは前記スクロールバーを前記第一方向へ移動させ、前記第二キーゾーンが押された時、前記処理ユニットは前記スクロールバーを第二方向へ移動させることを特徴とする請求項４０に記載の電子装置。
【請求項４５】
前記第一キーゾーン、および第二キーゾーンにはそれぞれ、更に若干の速度ゾーンを設けることができ、前記速度ゾーンにはそれぞれ異なるスクロール速度を与えることができ、ある速度ゾーンが押された時、前記処理ユニットは前記ウインドウ画面を制御し、前記速度ゾーンのスクロール速度によってキーゾーンの所属するスクロール方向へスクロールさせることを特徴とする請求項４０に記載の電子装置。
【請求項４６】
タッチコントロール装置の中心からの距離が近い速度ゾーンほど、スクロール速度は遅く、タッチコントロール装置の中心からの距離が遠い速度ゾーンほど、スクロール速度は速いことを特徴とする請求項４５に記載の電子装置。
【請求項４７】
タッチコントロール装置の中心からの距離が近い速度ゾーンほど、スクロール速度は速く、タッチコントロール装置の中心からの距離が遠い速度ゾーンほど、スクロール速度は遅いことを特徴とする請求項４５に記載の電子装置。
【請求項４８】
前記速度ゾーンにそれぞれ与えられたスクロール速度は、固定速度、あるいは非固定速度であることを特徴とする請求項４５に記載の電子装置。
【請求項４９】
前記第一キーゾーンには更に第一常速ゾーン、および第一快速ゾーンを、前記第二キーゾーンには更に第二常速ゾーン、および第二快速ゾーンを設けることができ、第一、あるいは第二常速ゾーンが押された時、ウインドウ画面を制御し、正常な速度で前記常速ゾーンの所属するキーゾーンのスクロール方向にスクロールさせ、前記第一、あるいは第二快速ゾーンが押された時、ウインドウ画面は前記正常な速度よりも比較的速い速度で前記快速ゾーンの所属するキーゾーンのスクロール方向にスクロールさせることを特徴とする請求項４０に記載の電子装置。
【請求項５０】
前記第一キーゾーン、あるいは第二キーゾーン中で、一よりも大きな押圧動作が発生したと感知された時、前記押圧の回数と押圧時間の長さに対応してウインドウ画面のスクロール速度が調整されることを特徴とする請求項４０に記載の電子装置。
【請求項５１】
前記押圧動作は、少なくとも一つの短いクリック動作を感知した後、すぐに別の短いクリック動作、あるいは別の比較的時間の長い押圧動作を感知することを特徴とする請求項５０に記載の電子装置。
【請求項５２】
前記押圧回数と押圧時間に対応してウインドウ画面のスクロール速度が速く調整されることを特徴とする請求項５０に記載の電子装置。
【請求項５３】
前記押圧回数と押圧時間に対応してウインドウ画面のスクロール速度が遅く調整されることを特徴とする請求項５０に記載の電子装置。
【請求項５４】
前記押圧回数と押圧時間によってウインドウ画面のスクロールが停止されることを特徴とする請求項５０に記載の電子装置。
【請求項５５】
前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は遅く、中心から遠いほど、スクロール速度は速いことを特徴とする請求項５０に記載の電子装置。
【請求項５６】
前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は速く、中心から遠いほど、スクロール速度は遅いことを特徴とする請求項５０に記載の電子装置。
【請求項５７】
前記タッチコントロール装置が前記第一キーゾーン、あるいは第二キーゾーンの押圧を感知した時、前記処理ユニットは前記ウインドウ画面を継続してスクロールさせることを特徴とする請求項５０に記載の電子装置。
【請求項５８】
前記処理ユニットは、前記ウインドウ画面を継続してスクロールさせ、前記同一のキーゾーンが再び押圧された時、スクロールを停止させることを特徴とする請求項５７に記載の電子装置。
【請求項５９】
前記処理ユニットは、前記ウインドウ画面を継続してスクロールさせ、別のキーゾーンが押圧された時、スクロールを停止させることを特徴とする請求項５７に記載の電子装置。
【請求項６０】
前記処理ユニットは、前記ウインドウ画面を継続してスクロールさせ、前記キーゾーン以外のゾーン域が押圧された時、スクロールを停止させることを特徴とする請求項５７に記載の電子装置。
【請求項６１】
前記タッチコントロール装置上には更に少なくとも一つの特殊キーゾーンが設けられており、前記特殊キーゾーンが押圧されたと感知された時、前記処理ユニットに改めてスクロールバーの設定状態を設定させることを特徴とする請求項４０に記載の電子装置。
【請求項６２】
複数のキーゾーンが同時に押圧されたと感知された時、前記処理ユニットに改めてスクロールバーの設定状態を設定させることを特徴とする請求項４０に記載の電子装置。
【請求項６３】
改めて前記スクロールバーの設定状態を設定するとは、スクロールを起点の位置、中間の位置、終点の位置、その他システムによって予め設定されている位置、あるいは使用者に設定された位置に回復させることを指すことを特徴とする請求項６１、または６２に記載の電子装置。
【請求項６４】
改めて前記スクロールバーの設定状態を設定するとは、スクロール速度を予め設定した状態に回復させることを指すことを特徴とする請求項６１、または６２に記載の電子装置。
【請求項６５】
改めて前記スクロールバーの設定状態を設定するとは、前記第一キーゾーンおよび前記第二キーゾーン、または、前記第一キーゾーンあるいは前記第二キーゾーンのスクロール機能を開く、あるいは閉じることを指すことを特徴とする請求項６１、または６２に記載の電子装置。
【請求項６６】
改めて前記スクロールバーの設定状態を設定するとは、前記第一キーゾーンおよび前記第二キーゾーン、または、前記第一キーゾーンあるいは前記第二キーゾーンのスクロール方向を変更することを指すことを特徴とする請求項６１、または６２に記載の電子装置。
【請求項６７】
改めて前記スクロールバーの設定状態を設定するとは、前記ウインドウ画面のスクロールを停止させることであることを特徴とする請求項６１、または６２に記載の電子装置。
【請求項６８】
改めて前記スクロールバーの設定状態を設定するとは、前記ウインドウズ画面を前回のスクロール動作に重複させることを指し、前記重複する動作は、スクロールの方向、速度、およびスクロールの距離、または、あるいはスクロールの距離であることを特徴とする請求項６１、または６２に記載の電子装置。
【請求項６９】
改めて前記スクロールバーの設定状態を設定するとは、前記ウインドウ画面を前回のスクロールの方向と速度に沿って継続してスクロールさせることを特徴とする請求項６１、または６２に記載の電子装置。
【請求項７０】
改めて前記スクロールバーの設定状態を設定するとは、前記ウインドウ画面を上方向に改ページさせたり、下方向に改ページさせたり、上方向にスクロールさせたり、下方向にスクロールさせたりすることを特徴とする請求項６１、または６２に記載の電子装置。
【請求項７１】
改めて前記スクロールバーの設定状態を設定するとは、クリック動作、あるいはダブルクリック動作の電子信号を発生させることを指すことを特徴とする請求項６１、または６２に記載の電子装置。
【請求項７２】
改めて前記スクロールバーの設定状態を設定するとは、前回のマウスポインタによるドラッグ動作の重複を発生させることを指すことを特徴とする請求項６１、または６２に記載の電子装置。
【請求項７３】
改めて前記スクロールバーの設定状態を設定するとは、前回のクリック、ならびにドラッグと重複する電子信号を発生させることを指すことを特徴とする請求項６１、または６２に記載の電子装置。
【請求項７４】
N＝４であり、前記タッチコントロール装置上には垂直上方向のスクロールゾーン、垂直下方向のスクロールゾーン、水平左方向のスクロールゾーン、および水平右方向のスクロールゾーンが設けられており、前記垂直上方向、あるいは垂直下方向のスクロールゾーンが押圧されたと感知された時、前記処理ユニットにウインドウ画面を制御させ、垂直上方向、あるいは下方向にスクロールさせ、水平左方向、あるいは右方向のスクロールゾーンが押圧されたと感知された時、前記処理ユニットにウインドウ画面を制御させ、水平左方向、あるいは右方向にスクロールさせることを特徴とする請求項３９に記載の電子装置。
【請求項７５】
前記処理ユニット中には、更にオペレーションシステム、および応用プログラムが設けられており、前記ウインドウ画面上にスクロールバーを具有するGUIを形成するのに用いられていることを特徴とする請求項３８に記載の電子装置。
【請求項７６】
前記処理ユニットには、少なくとも一つの駆動プログラムが設けられており、タッチコントロール装置と共に前記第一キーゾーン、および第二キーゾーンに対して押圧のチェックを行うのに用いられていることを特徴とする請求項３８に記載の電子装置。
【発明の詳細な説明】
【技術分野】
【０００１】
本発明は、電子装置によるウインドウ画面のスクロールの制御方法及び装置に係り、特に、操作に便利で、操作が迅速にでき、面倒でない電子装置の制御によるウインドウ画面のスクロール方法及び装置に関わる。
【背景技術】
【０００２】
グラフィカルユーザーインターフェイス（ＧＵＩ）は誰でも熟知しているものであり、全てのＧＵＩの一つの主要な機能は使用者の閲覧を便利にするために、コンピュータのウインドウ画面をスクロール（上下、左右）させることができることである。そのため、コンピュータのウインドウ画面辺縁（上下、あるいは左右）には通常スクロールバーと呼ばれる図形化された制御工具が設けられており、使用者はマウスを使ってスクロールバーを平行方向にドラッグさせ、前記ウインドウ画面をスクロールさせることができる。
しかし、スクロールバーは一般に画面の一つ、あるいは二つの小さな位置（上下スクロール、あるいは左右スクロール）を占めるにとどまり、目標が比較的小さいために、使用者がポインターを的確にスクロールバー上に移動させるには困難があり、時間も掛かる。しかし、そのためにスクロールバーのサイズを大きくした場合、モニタの有効ゾーン域が犠牲になってしまう。そのため、ＧＵＩのスクロール操作を容易にするために、公知にマウスの表面に更に車輪を設けたものがあり、これによりウインドウ画面をスクロールさせる時、画面上のポインターを移動させる必要はない。
しかし、これはマウス上に更に複雑で高価な機械部品を付加する必要があるために、携帯型のコンピュータに対しては収納が容易ではない。
【０００３】
そのため、アメリカ合衆国第５９４３０５２号の特許において、スクロールバーの制御方法に関するものがあり、それは、コンピュータと電気接合されたタッチコントロール装置上にスクロールゾーン（scrolling zone）を設け、使用者はその上面を指で上下移動（縦方向スクロールゾーン）、あるいは左右移動（横方向スクロールゾーン）をすることができ、コンピュータモニタのウインドウ画面を駆動し、上下、あるいは左右にスクロールさせることができ、スクロール軸の操作に便利であるという効果を達成できる。
しかし、この方法は使用者の指の動きを利用し、マウスの車輪の回転を模擬するものであり、システムに絶えず各種の移動方向の感知と判別を絶え間なくさせなければならず、システムプログラムの複雑度が増すだけでなく、使用者の指を絶えずタッチコントロール装置上で滑動させる必要があるために、指の疲労、および傷害をもたらせやすい。
【特許文献１】米国特許第５９４３０５２号公報
【発明の開示】
【発明が解決しようとする課題】
【０００４】
上記公知構造の欠点を解決するために、本発明は、操作が便利な、電子装置の制御によるウインドウ画面のスクロール方法及び装置を提供することを課題とする。
【課題を解決するための手段】
【０００５】
前記課題を解決するために、本発明は、電子装置の制御によるウインドウ画面のスクロール方法及びその装置であり、前記電子装置は、少なくとも一つのタッチコントロール装置を具有する。
【０００６】
前記方法の工程は、（A）前記タッチコントロール装置上にはN個のキーゾーンが設けられており、Nは少なくとも一である整数であることと、（B）N個のキーゾーンをチェックし、その中の第Ｊ番キーゾーンが押されたと感知された時、前記ウインドウ画面を制御し、第Ｊ番の方向へスクロールさせることを含む。
【０００７】
その他に、本発明の電子装置は、少なくとも一つのモニタ、少なくとも一つのタッチコントロール装置、及び処理ユニットによって構成されている。
【０００８】
前記モニタは、少なくとも一つのウインドウ画面を表示する。
【０００９】
前記タッチコントロール装置上には、N個のキーゾーンが設けられており、その中で、Nは少なくとも一である整数であり、N個のキーゾーンに対してチェックすることができる手段を有する。
【００１０】
前記処理ユニット(単元)と前記モニタとタッチコントロール装置は電気接続されており、前記N個のキーゾーンの中の第Ｊ番キーゾーンが押圧されたことが分かった時、ウインドウ画面を制御し、第Ｊ番の方向にスクロールさせる。
【００１１】
請求項１の発明は、電子装置の制御によるウインドウ画面のスクロール方法であり、前記電子装置は少なくとも一つのタッチコントロール装置を具有し、前記方法の工程は、（A）前記タッチコントロール装置上にはN個のキーゾーンが設けられており、Nは少なくとも１を含む整数であることと、（B）N個のキーゾーンをチェックし、その中の第Ｊ番キーゾーンが押されたと感知された時、前記ウインドウ画面を制御し、第Ｊ番の方向へスクロールさせることを含むことを特徴とする電子装置の制御によるウインドウ画面のスクロール方法である。
【００１２】
請求項２の発明は、工程（A）中において、Ｊ番は、１とNとの間に介在する任意の整数を表し、第Ｊ番方向は、上方向、下方向、左方向、右方向、あるいはその他の任意の方向の中の一つを表すことを特徴とする請求項１に記載の電子装置の制御によるウインドウ画面のスクロール方法である。
【００１３】
請求項３の発明は、工程（A）中において、N＝２であり、前記タッチコントロール装置上には第一キーゾーン、および第二キーゾーンが設けられており、工程（B）中において、第一キーゾーンが押されたと感知された時、ウインドウ画面を制御し、第一方向へスクロールさせ、前記第二キーゾーンが押されたと感知された時、ウインドウ画面を制御し、前記第一方向とは違う方向である第二方向へスクロールさせることを特徴とする請求項２に記載の電子装置の制御によるウインドウ画面のスクロール方法である。
【００１４】
請求項４の発明は、前記第一方向と前記第二方向はお互いに相対する方向であることを特徴する請求項３に記載の電子装置の制御によるウインドウ画面のスクロール方法である。
【００１５】
請求項５の発明は、前記第一方向と前記第二方向は、それぞれ上方向と下方向への移動の垂直方向であることを特徴とする請求項４に記載の電子装置の制御によるウインドウ画面のスクロール方法である。
【００１６】
請求項６の発明は、前記第一方向と前記第二方向は、それぞれ左方向と右方向への移動の水平方向であることを特徴とする請求項４に記載の電子装置の制御によるウインドウ画面のスクロール方法である。
【００１７】
請求項７の発明は、前記ウインドウ画面の片側には更にスクロールバーが設けられており、工程（B）中において、前記第一キーゾーンが押された時、前記スクロールバーを前記第一方向へ移動させ、前記第二キーゾーンが押された時、前記スクロールバーを第二方向へ移動させることを特徴とする請求項３に記載の電子装置の制御によるウインドウ画面のスクロール方法である。
【００１８】
請求項８の発明は、工程（A）において、前記第一キーゾーン、および第二キーゾーンにはそれぞれ、更に若干の速度ゾーンを設けることができ、前記速度ゾーンにはそれぞれ異なるスクロール速度を与えることができ、工程（B）中において、ある速度ゾーンが押された時、前記ウインドウ画面を制御し、前記速度ゾーンのスクロール速度によってキーゾーンの所属するスクロール方向へスクロールさせることを特徴とする請求項３に記載の電子装置の制御によるウインドウ画面のスクロール方法である。
【００１９】
請求項９の発明は、工程（A）中において、タッチコントロール装置の中心からの距離が近い速度ゾーンほど、スクロール速度は遅く、タッチコントロール装置の中心からの距離が遠い速度ゾーンほど、スクロール速度は速いことを特徴とする請求項８に記載の電子装置の制御によるウインドウ画面のスクロール方法である。
【００２０】
請求項１０の発明は、工程（A）中において、タッチコントロール装置の中心からの距離が近い速度ゾーンほど、スクロール速度は速く、タッチコントロール装置の中心からの距離が遠い速度ゾーンほど、スクロール速度は遅いことを特徴とする請求項８に記載の電子装置の制御によるウインドウ画面のスクロール方法である。
【００２１】
請求項１１の発明は、工程（A）中において、前記速度ゾーンにそれぞれ与えられたスクロール速度は、固定速度、あるいは非固定速度であることを特徴とする請求項８に記載の電子装置の制御によるウインドウ画面のスクロール方法である。
【００２２】
請求項１２の発明は、工程（A）中において、前記第一キーゾーンには更に第一常速ゾーン、および第一快速ゾーンを、前記第二キーゾーンには更に第二常速ゾーン、および第二快速ゾーンを設けることができ、第一、あるいは第二常速ゾーンが押された時、ウインドウ画面を制御し、正常な速度で前記常速ゾーンの所属するキーゾーンのスクロール方向にスクロールさせ、前記第一、あるいは第二快速ゾーンが押された時、ウインドウ画面は前記正常な速度よりも比較的速い速度で前記快速ゾーンの所属するキーゾーンのスクロール方向にスクロールさせることを特徴とする請求項３に記載の電子装置の制御によるウインドウ画面のスクロール方法である。
【００２３】
請求項１３の発明は、工程（B）中において、前記第一キーゾーン、あるいは第二キーゾーン中で、一よりも大きな押圧動作が発生したと感知された時、前記押圧の回数と押圧時間の長さに対応してウインドウ画面のスクロール速度が調整されることを特徴とする請求項３に記載の電子装置の制御によるウインドウ画面のスクロール方法である。
【００２４】
請求項１４の発明は、工程（B）中において、前記押圧動作は、少なくとも一つの短いクリック動作を感知した後、すぐに別の短いクリック動作、あるいは別の比較的時間の長い押圧動作を感知することを特徴とする請求項１３に記載の電子装置の制御によるウインドウ画面のスクロール方法である。
【００２５】
請求項１５の発明は、工程（B）中において、前記押圧回数と押圧時間に対応してウインドウ画面のスクロール速度が素早く調整されることを特徴とする請求項１３に記載の電子装置の制御によるウインドウ画面のスクロール方法である。
【００２６】
請求項１６の発明は、工程（B）中において、前記押圧回数と押圧時間に対応してウインドウ画面のスクロール速度が遅く調整されることを特徴とする請求項１３に記載の電子装置の制御によるウインドウ画面のスクロール方法である。
【００２７】
請求項１７の発明は、工程（B）中において、前記押圧回数と押圧時間によってウインドウ画面のスクロールが停止されることを特徴とする請求項１３に記載の電子装置の制御によるウインドウ画面のスクロール方法である。
【００２８】
請求項１８の発明は、工程（B）中において、前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は遅く、中心から遠いほど、スクロール速度は速いことを特徴とする請求項３に記載の電子装置の制御によるウインドウ画面のスクロール方法である。
【００２９】
請求項１９の発明は、工程（B）中において、前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は速く、中心から遠いほど、スクロール速度は遅いことを特徴とする請求項３に記載の電子装置の制御によるウインドウ画面のスクロール方法である。
【００３０】
請求項２０の発明は、工程（B）中において、前記第一キーゾーン、あるいは第二キーゾーンが押圧された時、前記ウインドウ画面を継続してスクロールさせることを特徴とする請求項３に記載の電子装置の制御によるウインドウ画面のスクロール方法である。
【００３１】
請求項２１の発明は、前記ウインドウ画面は継続してスクロールし、前記同一のキーゾーンが再び押圧された時、停止することを特徴とする請求項２０に記載の電子装置の制御によるウインドウ画面のスクロール方法である。
【００３２】
請求項２２の発明は、前記ウインドウ画面は継続してスクロールし、別のキーゾーンが押圧された時、スクロールが停止することを特徴とする請求項２０に記載の電子装置の制御によるウインドウ画面のスクロール方法である。
【００３３】
請求項２３の発明は、前記ウインドウ画面は継続してスクロールし、前記キーゾーン以外のゾーン域が押圧された時、スクロールが停止することを特徴とする請求項２０に記載の電子装置の制御によるウインドウ画面のスクロール方法である。
【００３４】
請求項２４の発明は、工程（A）中において、前記タッチコントロール装置上には更に少なくとも一つの特殊キーゾーンが設けられており、前記特殊キーゾーンが押圧されたと感知された時、改めてスクロールバーの設定状態を設定することができることを特徴とする請求項３に記載の電子装置の制御によるウインドウ画面のスクロール方法である。
【００３５】
請求項２５の発明は、工程（B）中において、複数のキーゾーンが同時に押圧されたと感知された時、改めてスクロールバーの設定状態を設定することができることを特徴とする請求項３に記載の電子装置の制御によるウインドウ画面のスクロール方法である。
【００３６】
請求項２６の発明は、改めて前記スクロールバーの設定状態を設定するとは、スクロールを起点の位置、中間の位置、終点の位置、その他システムによって予め設定されている位置、あるいは使用者に設定された位置に回復させることを指すことを特徴とする請求項２４、または２５に記載の電子装置の制御によるウインドウ画面のスクロール方法である。
【００３７】
請求項２７の発明は、改めて前記スクロールバーの設定状態を設定するとは、スクロール速度を予め設定した状態に回復させることを指すことを特徴とする請求項２４、または２５に記載の電子装置の制御によるウインドウ画面のスクロール方法である。
【００３８】
請求項２８の発明は、改めて前記スクロールバーの設定状態を設定するとは、前記第一キーゾーンおよび前記第二キーゾーン、または、前記第一キーゾーンあるいは前記第二キーゾーンのスクロール機能を開く、あるいは閉じることを指すことを特徴とする請求項２４、または２５に記載の電子装置の制御によるウインドウ画面のスクロール方法である。
【００３９】
請求項２９の発明は、改めて前記スクロールバーの設定状態を設定するとは、前記第一キーゾーンおよび前記第二キーゾーン、または、前記第一キーゾーンあるいは前記第二キーゾーンのスクロール方向を変更することを指すことを特徴とする請求項２４、または２５に記載の電子装置の制御によるウインドウ画面のスクロール方法である。
【００４０】
請求項３０の発明は、改めて前記スクロールバーの設定状態を設定するとは、前記ウインドウ画面のスクロールを停止させることであることを特徴とする請求項２４、または２５に記載の電子装置の制御によるウインドウ画面のスクロール方法である。
【００４１】
請求項３１の発明は、改めて前記スクロールバーの設定状態を設定するとは、前記ウインドウズ画面を前回のスクロール動作に重複させることを指し、前記重複する動作は、スクロールの方向、速度、およびスクロールの距離、または、あるいはスクロールの距離であることを特徴とする請求項２４、または２５に記載の電子装置の制御によるウインドウ画面のスクロール方法である。
【００４２】
請求項３２の発明は、改めて前記スクロールバーの設定状態を設定するとは、前記ウインドウ画面を前回のスクロールの方向と速度に沿って継続してスクロールさせることを特徴とする請求項２４、または２５に記載の電子装置の制御によるウインドウ画面のスクロール方法である。
【００４３】
請求項３３の発明は、改めて前記スクロールバーの設定状態を設定するとは、前記ウインドウ画面を上方向に改ページさせたり、下方向に改ページさせたり、上方向にスクロールさせたり、下方向にスクロールさせたりすることを特徴とする請求項２４、または２５に記載の電子装置の制御によるウインドウ画面のスクロール方法である。
【００４４】
請求項３４の発明は、改めて前記スクロールバーの設定状態を設定するとは、クリック動作、あるいはダブルクリック動作の電子信号を発生させることを指すことを特徴とする請求項２４、または２５に記載の電子装置の制御によるウインドウ画面のスクロール方法である。
【００４５】
請求項３５の発明は、改めて前記スクロールバーの設定状態を設定するとは、前回のマウスポインタによるドラッグ動作の重複を発生させることを指すことを特徴とする請求項２４、または２５に記載の電子装置の制御によるウインドウ画面のスクロール方法である。
【００４６】
請求項３６の発明は、改めて前記スクロールバーの設定状態を設定するとは、前回のクリック、ならびにドラッグと重複する電子信号を発生させることを指すことを特徴とする請求項２４、または２５に記載の電子装置の制御によるウインドウ画面のスクロール方法である。
【００４７】
請求項３７の発明は、工程（A）中において、N＝４であり、前記タッチコントロール装置上には垂直上方向のスクロールゾーン、垂直下方向のスクロールゾーン、水平左方向のスクロールゾーン、および水平右方向のスクロールゾーンが設けられており、工程（Ｂ）中において、前記垂直上方向、あるいは垂直下方向のスクロールゾーンが押圧されたと感知された時、ウインドウ画面を制御し、垂直上方向、あるいは下方向にスクロールさせ、水平左方向、あるいは右方向のスクロールゾーンが押圧されたと感知された時、ウインドウ画面を制御し、水平左方向、あるいは右方向にスクロールさせることを特徴とする請求項３５に記載の電子装置の制御によるウインドウ画面のスクロール方法である。
【００４８】
請求項３８の発明は、少なくとも一つのディスプレイと、少なくとも一つのタッチコントロール装置と、処理ユニットとによって構成されており、
前記ディスプレイは、少なくとも一つのウインドウ画面を表示するために用いられており、
前記タッチコントロール装置上には、N個のキーゾーンが設けられており、Nは少なくとも一の整数であり、前記N個のキーゾーンに対してチェックを行うことができ、
前記処理ユニットは、前記ディスプレイ、および前記タッチコントロール装置と電気接続されており、前記N個のキーゾーンの中の前記第Ｊ番キーゾーンが押圧されたことが分かった時、ウインドウ画面を制御し、第Ｊ番方向へスクロールさせることを特徴とする電子装置である。
【００４９】
請求項３９の発明は、Jは、一とNとの間に介在する任意の整数を表し、第Ｊ番方向は、上方向、下方向、左方向、右方向、あるいはその他の任意の方向の中の一つを表すことを特徴とする請求項３８に記載の電子装置である。
【００５０】
請求項４０の発明は、N＝２であり、前記タッチコントロール装置上には第一キーゾーン、および第二キーゾーンが設けられており、前記処理ユニットは第一キーゾーンが押されたとわかった時、ウインドウ画面を制御し、第一方向へスクロールさせ、前記処理ユニットが前記第二キーゾーンが押されたと感知した時、ウインドウ画面を制御し、前記第一方向とは違う方向である第二方向へスクロールさせることを特徴とする請求項３９に記載の電子装置である。
【００５１】
請求項４１の発明は、前記第一方向と前記第二方向はお互いに相対する方向であることを特徴する請求項４０に記載の電子装置である。
【００５２】
請求項４２の発明は、前記第一方向と前記第二方向は、それぞれ上方向と下方向への移動の垂直方向であることを特徴とする請求項４１に記載の電子装置である。
【００５３】
請求項４３の発明は、前記第一方向と前記第二方向は、それぞれ左方向と右方向への移動の水平方向であることを特徴とする請求項４１に記載の電子装置である。
【００５４】
請求項４４の発明は、前記ウインドウ画面の片側には更にスクロールバーが設けられており、前記第一キーゾーンが押された時、前記処理ユニットは前記スクロールバーを前記第一方向へ移動させ、前記第二キーゾーンが押された時、前記処理ユニットは前記スクロールバーを第二方向へ移動させることを特徴とする請求項４０に記載の電子装置である。
【００５５】
請求項４５の発明は、前記第一キーゾーン、および第二キーゾーンにはそれぞれ、更に若干の速度ゾーンを設けることができ、前記速度ゾーンにはそれぞれ異なるスクロール速度を与えることができ、ある速度ゾーンが押された時、前記処理ユニットは前記ウインドウ画面を制御し、前記速度ゾーンのスクロール速度によってキーゾーンの所属するスクロール方向へスクロールさせることを特徴とする請求項４０に記載の電子装置である。
【００５６】
請求項４６の発明は、タッチコントロール装置の中心からの距離が近い速度ゾーンほど、スクロール速度は遅く、タッチコントロール装置の中心からの距離が遠い速度ゾーンほど、スクロール速度は速いことを特徴とする請求項４５に記載の電子装置である。
【００５７】
請求項４７の発明は、タッチコントロール装置の中心からの距離が近い速度ゾーンほど、スクロール速度は速く、タッチコントロール装置の中心からの距離が遠い速度ゾーンほど、スクロール速度は遅いことを特徴とする請求項４５に記載の電子装置である。
【００５８】
請求項４８の発明は、前記速度ゾーンにそれぞれ与えられたスクロール速度は、固定速度、あるいは非固定速度であることを特徴とする請求項４５に記載の電子装置である。
【００５９】
請求項４９の発明は、前記第一キーゾーンには更に第一常速ゾーン、および第一快速ゾーンを、前記第二キーゾーンには更に第二常速ゾーン、および第二快速ゾーンを設けることができ、第一、あるいは第二常速ゾーンが押された時、ウインドウ画面を制御し、正常な速度で前記常速ゾーンの所属するキーゾーンのスクロール方向にスクロールさせ、前記第一、あるいは第二快速ゾーンが押された時、ウインドウ画面は前記正常な速度よりも比較的速い速度で前記快速ゾーンの所属するキーゾーンのスクロール方向にスクロールさせることを特徴とする請求項４０に記載の電子装置である。
【００６０】
請求項５０の発明は、前記第一キーゾーン、あるいは第二キーゾーン中で、一よりも大きな押圧動作が発生したと感知された時、前記押圧の回数と押圧時間の長さに対応してウインドウ画面のスクロール速度が調整されることを特徴とする請求項４０に記載の電子装置である。
【００６１】
請求項５１の発明は、前記押圧動作は、少なくとも一つの短いクリック動作を感知した後、すぐに別の短いクリック動作、あるいは別の比較的時間の長い押圧動作を感知することを特徴とする請求項５０に記載の電子装置である。
【００６２】
請求項５２の発明は、前記押圧回数と押圧時間に対応してウインドウ画面のスクロール速度が速く調整されることを特徴とする請求項５０に記載の電子装置である。
【００６３】
請求項５３の発明は、前記押圧回数と押圧時間に対応してウインドウ画面のスクロール速度が遅く調整されることを特徴とする請求項５０に記載の電子装置である。
【００６４】
請求項５４の発明は、前記押圧回数と押圧時間によってウインドウ画面のスクロールが停止されることを特徴とする請求項５０に記載の電子装置である。
【００６５】
請求項５５の発明は、前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は遅く、中心から遠いほど、スクロール速度は速いことを特徴とする請求項５０に記載の電子装置である。
【００６６】
請求項５６の発明は、前記第一キーゾーン、あるいは前記第二キーゾーンが押圧された位置を感知し、前記押圧位置によって前記ウインドウ画面のスクロール速度が決定され、前記押圧位置の距離が中心から近いほど、スクロール速度は速く、中心から遠いほど、スクロール速度は遅いことを特徴とする請求項５０に記載の電子装置である。
【００６７】
請求項５７の発明は、前記タッチコントロール装置が前記第一キーゾーン、あるいは第二キーゾーンの押圧を感知した時、前記処理ユニットは前記ウインドウ画面を継続してスクロールさせることを特徴とする請求項５０に記載の電子装置である。
【００６８】
請求項５８の発明は、前記処理ユニットは、前記ウインドウ画面を継続してスクロールさせ、前記同一のキーゾーンが再び押圧された時、スクロールを停止させることを特徴とする請求項５７に記載の電子装置である。
【００６９】
請求項５９の発明は、前記処理ユニットは、前記ウインドウ画面を継続してスクロールさせ、別のキーゾーンが押圧された時、スクロールを停止させることを特徴とする請求項５７に記載の電子装置である。
【００７０】
請求項６０の発明は、前記処理ユニットは、前記ウインドウ画面を継続してスクロールさせ、前記キーゾーン以外のゾーン域が押圧された時、スクロールを停止させることを特徴とする請求項５７に記載の電子装置である。
【００７１】
請求項６１の発明は、前記タッチコントロール装置上には更に少なくとも一つの特殊キーゾーンが設けられており、前記特殊キーゾーンが押圧されたと感知された時、前記処理ユニットに改めてスクロールバーの設定状態を設定させることを特徴とする請求項４０に記載の電子装置である。
【００７２】
請求項６２の発明は、複数のキーゾーンが同時に押圧されたと感知された時、前記処理ユニットに改めてスクロールバーの設定状態を設定させることを特徴とする請求項４０に記載の電子装置である。
【００７３】
請求項６３の発明は、改めて前記スクロールバーの設定状態を設定するとは、スクロールを起点の位置、中間の位置、終点の位置、その他システムによって予め設定されている位置、あるいは使用者に設定された位置に回復させることを指すことを特徴とする請求項６１、または６２に記載の電子装置である。
【００７４】
請求項６４の発明は、改めて前記スクロールバーの設定状態を設定するとは、スクロール速度を予め設定した状態に回復させることを指すことを特徴とする請求項６１、または６２に記載の電子装置である。
【００７５】
請求項６５の発明は、改めて前記スクロールバーの設定状態を設定するとは、前記第一キーゾーンおよび前記第二キーゾーン、または、前記第一キーゾーンあるいは前記第二キーゾーンのスクロール機能を開く、あるいは閉じることを指すことを特徴とする請求項６１、または６２に記載の電子装置である。
【００７６】
請求項６６の発明は、改めて前記スクロールバーの設定状態を設定するとは、前記第一キーゾーンおよび前記第二キーゾーン、または、前記第一キーゾーンあるいは前記第二キーゾーンのスクロール方向を変更することを指すことを特徴とする請求項６１、または６２に記載の電子装置である。
【００７７】
請求項６７の発明は、改めて前記スクロールバーの設定状態を設定するとは、前記ウインドウ画面のスクロールを停止させることであることを特徴とする請求項６１、または６２に記載の電子装置である。
【００７８】
請求項６８の発明は、改めて前記スクロールバーの設定状態を設定するとは、前記ウインドウズ画面を前回のスクロール動作に重複させることを指し、前記重複する動作は、スクロールの方向、速度、およびスクロールの距離、または、あるいはスクロールの距離であることを特徴とする請求項６１、または６２に記載の電子装置である。
【００７９】
請求項６９の発明は、改めて前記スクロールバーの設定状態を設定するとは、前記ウインドウ画面を前回のスクロールの方向と速度に沿って継続してスクロールさせることを特徴とする請求項６１、または６２に記載の電子装置である。
【００８０】
請求項７０の発明は、改めて前記スクロールバーの設定状態を設定するとは、前記ウインドウ画面を上方向に改ページさせたり、下方向に改ページさせたり、上方向にスクロールさせたり、下方向にスクロールさせたりすることを特徴とする請求項６１、または６２に記載の電子装置である。
【００８１】
請求項７１の発明は、改めて前記スクロールバーの設定状態を設定するとは、クリック動作、あるいはダブルクリック動作の電子信号を発生させることを指すことを特徴とする請求項６１、または６２に記載の電子装置である。
【００８２】
請求項７２の発明は、改めて前記スクロールバーの設定状態を設定するとは、前回のマウスポインタによるドラッグ動作の重複を発生させることを指すことを特徴とする請求項６１、または６２に記載の電子装置である。
【００８３】
請求項７３の発明は、改めて前記スクロールバーの設定状態を設定するとは、前回のクリック、ならびにドラッグと重複する電子信号を発生させることを指すことを特徴とする請求項６１、または６２に記載の電子装置である。
【００８４】
請求項７４の発明は、N＝４であり、前記タッチコントロール装置上には垂直上方向のスクロールゾーン、垂直下方向のスクロールゾーン、水平左方向のスクロールゾーン、および水平右方向のスクロールゾーンが設けられており、前記垂直上方向、あるいは垂直下方向のスクロールゾーンが押圧されたと感知された時、前記処理ユニットにウインドウ画面を制御させ、垂直上方向、あるいは下方向にスクロールさせ、水平左方向、あるいは右方向のスクロールゾーンが押圧されたと感知された時、前記処理ユニットにウインドウ画面を制御させ、水平左方向、あるいは右方向にスクロールさせることを特徴とする請求項３９に記載の電子装置である。
【００８５】
請求項７５の発明は、前記処理ユニット中には、更にオペレーションシステム、および応用プログラムが設けられており、前記ウインドウ画面上にスクロールバーを具有するGUIを形成するのに用いられていることを特徴とする請求項３８に記載の電子装置である。
【００８６】
請求項７６の発明は、前記処理ユニットには、少なくとも一つの駆動プログラムが設けられており、タッチコントロール装置と共に前記第一キーゾーン、および第二キーゾーンに対して押圧のチェックを行うのに用いられていることを特徴とする請求項３８に記載の電子装置である。
【発明の効果】
【００８７】
本発明はタッチコントロール装置上に設けられた複数の実体のキーを模擬したキーゾーンによって、使用者が指をタッチコントロール装置上で動かすのではなく、前記キーゾーンを触れる方式によって、ウインドウ画面のスクロール、あるいは停止を制御するものであり、これにより、使用上の便利性が大幅に上がっただけでなく、使用者は指を絶え間なく滑動させる必要がないので、指の疲労、および傷害を更に避けることができ、更に感知工程を更に簡単にし、プログラム、および回路の複雑度を下げた。
【発明を実施するための最良の形態】
【００８８】
本発明の前述、およびその他の技術内容、特徴、効果を参考図に沿って三つの比較的好適な実施例によって詳細に説明する。以下の実施例における同一の部品においては、同一の符号によって示す。
【実施例１】
【００８９】
図１は本発明の電子装置における第一の比較的好適な実施例を示すブロック（架構）図であり、電子装置１は主にタッチコントロール装置２、タッチコントロール装置と電気接続された処理ユニット３、およびウインドウ画面４を表示するのに用いられるモニタによって構成されている。タッチコントロール装置２は処理ユニット３を通じてウインドウ画面４を制御する。処理ユニット３中にはオペレーションシステム３２、および応用プログラム３１が設けられており、ウインドウ画面４上にスクロールバー４１を具有するGUIを形成している。
【００９０】
本実施例はタッチコンロトール装置２の右側辺（あるいは左側辺）に縦方向に配列する第一キーゾーン２１、第二キーゾーン２２、および第一キーゾーン２１と第二キーゾーン２２の間の第三キーゾーン２３（以下中間停留ゾーン２３と呼ぶ）を呈しており、ウインドウ画面４中のスクロールバー４１の移動方向（上下移動）に合わされており、使用者は前記キーゾーンを操作する時、手と眼を合わせて確認することができる。当然、図１に示すように、タッチコントロール装置２の上側辺、あるいは下側辺にウインドウ画面４を左右にスクロールさせるキーゾーン２４，２５，２６を設けることができる。
【００９１】
処理ユニット３中に更に駆動プログラム３３を選択（option）して設けることができ、それはタッチコントロール装置２と合わせてスクロールバー４１をスクロールするのに用いられ、使用者が前記キーゾーン２１，２２，２３の関連する設定を変更するのに便利になっている。しかし、注意しなければいけないのは、タッチコントロール装置２には元々感知回路（図なし）、およびスクロールバーのスクロール制御回路が設けられているため、駆動プログラム３３を通さずに、直接タッチコントロール装置２自身によってスクロールバーを制御することができる。そのために、タッチコントロール装置２と駆動プログラム３３を合わせて、第一キーゾーン２１の押圧を感知した時、継続して第一制御信号が処理ユニット３に発生し、ウインドウ画面４を制御し、継続して第一方向（上方向）にスクロールさせ、この時、スクロールバー４１は継続して上方向へ移動する。
【００９２】
同様に、タッチコントロール装置２が第二キーゾーン２２の継続する押圧を感知した時、継続して第二制御信号が処理ユニット３に発生し、ウインドウ画面４を制御し、継続して、前記第一方向（上方向）と相対する第二方向（下方向）にスクロールし、この時スクロールバー４１もまた継続して下方向へ移動する。
【００９３】
その他、タッチコントロール装置２が中間停留ゾーン２３の押圧を感知した時、あるいは第一キーゾーン２１、および第二キーゾーン２２のどちらも押圧されていないと感知した時、ウインドウ画面４のスクロールを停止させる。
【００９４】
このために、上述の説明により、第一実施例中において、使用者は指を移動させなくても、指でタッチコントロール装置２上の任意のキーゾーン２１，２２，２３に触れるだけで、ウインドウ画面４の上下スクロール、あるいは停止を制御することができる。
【００９５】
注意しなければならないことは、上述の実施例中において、中間停留ゾーン２３は必ず必要ではなく、タッチコントロール装置２は指がキーゾーン２１，２２，２３を押圧したか、あるいは離れたかによって、表示画面４のスクロール、停止を決定することができる。
【００９６】
その他、本実施例中において、タッチコントロール装置２上に、更に特殊キーゾーン２７を設けることができ、前記処理ユニット３に新たにスクロールバーの設定状態を設定することができ、この所謂新たにスクロールバーの設定状態を設定するとは、以下の動作を指す。
（１）スクロールを起点の位置、中間の位置、終点の位置、その他システムによって予め設定されている位置、あるいは使用者に設定された位置に回復させること。
（２）スクロール速度を予め設定した状態に回復させること。
（３）前記第一キーゾーンおよび前記第二キーゾーン、または、前記第一キーゾーンあるいは前記第二キーゾーンのスクロール機能を開く、あるいは閉じること。
（４）前記第一キーゾーンおよび前記第二キーゾーン、または、前記第一キーゾーンあるいは前記第二キーゾーンのスクロール方向を変更すること。
（５）前記ウインドウ画面のスクロールを停止させること。
（６）前記ウインドウズ画面を前回のスクロール動作に重複させることを指し、前記重複する動作は、スクロールの方向、速度、およびスクロールの距離、または、あるいはスクロールの距離であること。
（７）前記ウインドウ画面を前回のスクロールの方向と速度に沿って継続してスクロールさせること。
（８）前記ウインドウ画面を上方向に改ページさせたり、下方向に改ページさせたり、上方向にスクロールさせたり、下方向にスクロールさせたりすること。
（９）クリック動作、あるいはダブルクリック動作の電子信号を発生させること。
（１０）前回のマウスポインタによるドラッグ動作の重複を発生させることを指すこと。
（１１）前回のクリック、ならびにドラッグと重複する電子信号を発生させること。
この他に、上述の新たにスクロールバーの設定状態を設定する動作は、タッチコントロール装置２が複数のキーゾーンが同時に押圧された時、起動することも含む。
【００９７】
その他に、上述の感知方式以外に、タッチコントロール装置２はまた、第一キーゾーン２１、あるいは第二キーゾーン２２中に発生した少なくとも一つの連続、かつ短い動作（クリック動作）を感知することによって、処理ユニット３に、使用者の指による第一キーゾーン２１、あるいは第二キーゾーン２２のクリック動作の回数によって、ウインドウ画面４のスクロール速度を調整させる。例えば、タッチコントロール装置２が第一キーゾーン２１のクリックを感知した後、固定された一定の時間内にクリックされた回数を数え、その前記クリック回数に基づき、対応する制御信号を処理ユニット３に発生させ、ウインドウ画面４の第一方向のスクロール速度を調整する。例えば、一回のクリックがされた時、正常な速度でウインドウ画面４をスクロールさせ、連続して二回のクリックがされた時、正常な速度の二倍の速度でウインドウ画面をスクロールさせ、連続して三回のクリックがされた時、正常な速度の三倍の速度でウインドウ画面をスクロールさせる。同様に、第二キーゾーン２２が押圧された時のウインドウ画面４の前記第一方向と相対する第二の方向へのスクロールの速度は、第二キーゾーン２２が連続してクリックされた回数に基づいて調整される。したがって、使用者は、自らの要求に基づいて、第一キーゾーン２１、あるいは第二キーゾーン２２上を指で連続してクリックする回数によって、直接ウインドウ画面４のスクロール速度を制御することができ、タッチコントロール装置２上で指を移動させる必要がない。
【００９８】
あるいは、タッチコントロール装置２はまた、第一キーゾーン２１あるいは第二キーゾーン２２が押圧される時間の長さを感知することを利用して、処理ユニット２に、押圧の時間の長さに対応してウインドウ画面４のスクロール速度を調整させることもでき、例えば押圧時間が長いほど、スクロール速度は速く、押圧時間が短いほど、スクロール速度は遅い。
【００９９】
更に、タッチコントロール装置２は第一キーゾーン２１、あるいは第二キーゾーン２２中の押圧された位置を感知し、処理ユニット２に押圧位置に基づいてウインドウ画面４のスクロール速度を調整することが可能で、例えば、押圧された位置がタッチコントロール装置２の中心（第三キーゾーン２３）から近いほど、スクロール速度は遅く、タッチコントロール装置２の中心から遠いほど、スクロール速度は速い。
【０１００】
更に、タッチコントロール装置２が第一キーゾーン２１、あるいは第二キーゾーン２２が押圧されたと感知した時、処理ユニット３にウインドウ画面４を制御させ、継続してスクロールをさせ、同一キーゾーンが再び押圧されるとスクロールを停止させ、toggle on／offの機能により、ウインドウ画面４をスクロールさせるか、させないかを制御する。当然、処理ユニット３はウインドウ画面４を制御し、他のキーゾーンが押圧された時、スクロールを停止させたり、あるいはウインドウ画面４を制御し、前記キーゾーンと異なる区域が押圧された時、スクロールを停止、させることが可能である。
【０１０１】
更に、実際上、使用者が第一キーゾーン２１、あるいは第二キーゾーン２２を押圧した時、押圧したばかりの時、タッチコントロール装置２は第一次のスクロール命令を送出し、処理ユニット３にウインドウ画面４を制御し、まず一度スクロールを行わせ、その後、短い時間を置いた後、再び第二のスクロール命令を送出し、処理ユニット３にウインドウ画面４を制御させ、継続してスクロールを行わせ、第一次のスクロール命令と第二次のスクロール命令の時間の間隔は、後で送出する連続した命令の時間の間隔と同等にも、更に短くにも、更に長くにも設定することができる。
【実施例２】
【０１０２】
図２は本発明の電子装置の第二の比較的好適な実施例であり、第一実施例と異なる点は、タッチコントロール装置５上、即ち第一実施例の第一キーゾーン２１の場所に、第一常速ゾーン（上方向常速ゾーン）５１と第一快速ゾーン（上方向快速ゾーン）５２、第一実施例の第二キーゾーン２２の場所に、第二常速ゾーン（下方向常速ゾーン）５３と第二快速ゾーン（下方向快速ゾーン）５４が設けられ、更に中間停留ゾーン５５は上方向常速ゾーン５１と下方向常速ゾーン５３の間に設けられている点である。そのために、タッチコントロール装置５が上方向常速ゾーン５１、あるいは上方向快速ゾーン５２の押圧を感知した時、処理ユニット３を通してウインドウ画面４を制御し、正常な速度、あるいは比較的快速で上方向にスクロールを行う。同様に、下方向常速ゾーン５３、あるいは下方向快速ゾーン５４が押圧された時、処理ユニット３は適時にウインドウ画面４を制御し、正常な速度、あるいは比較的快速で下方向にスクロールを行う。更に、上述のウインドウ画面４のスクロール動作はタッチコントロール装置５が中間停留ゾーン５５が押圧されたと感知した時、あるいは前記キーゾーン５１，５２，５３，５４が押圧されていないと感知した時停止する。
【０１０３】
上述の説明によって、第二実施例中において、使用者は指を移動させる必要が無く、キーゾーン５１，５２，５３，５４に触れるだけで、ウインドウ画面４のスクロール速度を決定することができる。当然、この実施例中において、中間停留ゾーン５５は、必ず必要ではなく、タッチコントロール装置５は、使用者の指がキーゾーン５１，５２，５３，５４、を押したり、離れたりすることを判断することによってウインドウ画面４をスクロールさせたり、停止させたりすることができる。
【０１０４】
当然、図３に示すように、本実施例は、タッチコントロール装置６上、第一実施例の第一キーゾーン２１（即ち上方向キーゾーン６１）、および第二キーゾーン２２（即ち下方向キーゾーン６２）の場所に、それぞれ更に二つ以上の速度ゾーンを設けることができ、更に、それぞれの速度ゾーンには異なるスクロール速度が与えられており、タッチコントロール装置６がある速度ゾーンが押圧されたと感知した時、処理ユニット３にウインドウ画面４を制御させ、前記速度ゾーンの定義のスクロール速度によって、前記速度ゾーンの所属するキーゾーンのスクロール方向へスクロールさせ、更に、タッチコントロール装置６の中心（即ち中間停留ゾーン）から近いほど、スクロール速度は遅く、タッチコントロール装置の中心（即ち中間停留ゾーン）から遠いほど、スクロール速度は速い。また、それぞれの速度ゾーンに与えられた速度は、固定の速度でも、あるいは加速度方式に絶えず変化する速度でもよい。
【０１０５】
上記をまとめると、本発明はタッチコントロール装置２（５，６）上に設けられた複数の実体のキーを模擬したキーゾーン２１，２２，２３（５１，５２，５３，５４，５５
）（６１，６２）によって、使用者が指をタッチコントロール装置上で動かすのではなく、前記キーゾーンを触れる方式によって、ウインドウ画面４のスクロール、あるいは停止を制御するものである。
【０１０６】
上記実施の形態は、単に本発明の比較的好適な実施例を示すもので、本発明の実施の範囲を限定するものではなく、特許請求の範囲を逸脱しない限り、容易になされる修飾、および変更も本発明の技術的範囲に属する。
【図面の簡単な説明】
【０１０７】
【図１】本発明における第一の比較的好適な実施例を示すブロック図である。
【図２】本発明における第二の比較的好適な実施例を示すブロック図である。
【図３】第二の実施例におけるもう一つの実施様態である。
【符号の説明】
【０１０８】
１    電子装置
２    タッチコントロール装置
３    処理ユニット
４    ウインドウ画面
５    タッチコントロール装置
６    タッチコントロール装置
２１  第一キーゾーン
２２  第二キーゾーン
２３  第三キーゾーン
３１  応用プログラム
３２  オペレーションシステム
３３  駆動プログラム
４１  スクロールバー
５１  上方向常速ゾーン
５２  上方向快速ゾーン
５３  下方向常速ゾーン
５４  下方向快速ゾーン
５５  中間停留ゾーン
６１  上方向キーゾーン
６２  下方向キーゾーン
【図１】
2005190126.tif 000003
【図２】
2005190126.tif 000004
【図３】
2005190126.tif 000005